(57)【要約】【課題】高いデザイン性と、受光性能の向上との両立が図られた受光装置、および処理装置を提供することを目的とする。【解決手段】  所定の処理を行う処理部と、受光部で光を受けて前記処理部に受光信号を伝達する受光素子と、受光素子の受光部の前方を覆って受光素子を隠蔽した、受光素子の受光部に対向した対向部分の光学的構造が、対向部分を除く他の部分の光学的構造よりも、光が受光部に入射しやすい構造になっている隠蔽壁とを備えた。【選択図】        図３
2007095925.tif 000002
【特許請求の範囲】
【請求項１】
受光部で光を受ける受光素子と、
前記受光素子の受光部の前方を覆って該受光素子を隠蔽した、該受光素子の受光部に対向した対向部分の光学的構造が、該対向部分を除く他の部分の光学的構造よりも、光が前記受光部に入射しやすい構造になっている隠蔽壁とを有することを特徴とする受光装置。
【請求項２】
前記隠蔽壁は、光を反射する反射膜が設けられた、前記対向部分における反射膜の厚さが、該対向部分を除く他の部分における反射膜の厚さよりも薄いものであることを特徴とする請求項１記載の受光装置。
【請求項３】
前記隠蔽壁は、有色の材料で構成された、前記対向部分の厚さが、該対向部分を除く他の部分の厚さよりも薄いものであることを特徴とする請求項１記載の受光装置。
【請求項４】
前記隠蔽壁は、前記対向部分の周辺から前記受光素子に向けて張り出したへりを有するものであることを特徴とする請求項１記載の受光装置。
【請求項５】
前記隠蔽壁は、有色の材料で構成された、前記対向部分の色が、該対向部分を除く他の部分の色よりも薄いものであることを特徴とする請求項１記載の受光装置。
【請求項６】
前記隠蔽壁は、前記対向部分が凹レンズの形状を有したものであることを特徴とする請求項１記載の受光装置。
【請求項７】
前記隠蔽壁は、前記対向部分が凹レンズタイプのフレンネルレンズの形状を有したものであることを特徴とする請求項１記載の受光装置。
【請求項８】
有色の材料で構成された、前記受光部の周りを取り囲む囲み部材を備えたことを特徴とする請求項１記載の受光装置。
【請求項９】
所定の処理を行う処理部と、
受光部で光を受けて前記処理部に受光信号を伝達する受光素子と、
前記受光素子の受光部の前方を覆って該受光素子を隠蔽した、該受光素子の受光部に対向した対向部分の光学的構造が、該対向部分を除く他の部分の光学的構造よりも、光が前記受光部に入射しやすい構造になっている隠蔽壁とを備えたことを特徴とする処理装置。
【請求項１０】
所定の処理を行う処理部と、
前記処理部による処理に関する情報を、暗色背景中での発光によって表示する表示器と、
前記表示器の暗色背景中に設けられた、光を受けて前記処理部に受光信号を伝達する受光器とを備えたことを特徴とする処理装置。
【請求項１１】
前記表示部は、前記暗色背景中に複数の発光素子が並べられてなるものであり、
前記受光器は、前記複数の発光素子の間の隙間に嵌め込まれた受光素子であることを特徴とする請求項１０記載の処理装置。
【請求項１２】
前記受光器が、前記暗色背景中に設けられた有色の隠蔽窓と、
前記隠蔽窓の背部に隠蔽されて設けられた受光素子とを備えたものであることを特徴とする請求項１０記載の処理装置。
【発明の詳細な説明】
【技術分野】
【０００１】
本発明は、光を受ける受光装置、および、光を受けて所定の処理を行う処理装置に関する。
【背景技術】
【０００２】
従来から、映像機器、音響機器、および空調機器などといった様々な電気機器の分野において、電気機器内に、受光素子で光（主に赤外線）を受光して受光信号を生成する受光装置と、受光装置から受光信号を受けて所定の処理を行う処理装置とを搭載し、光を発するリモートコントローラを使ってそれらの電気機器を制御することが広く行われている。リモートコントローラが適用されることによって、ユーザ側にとっては、わざわざ電気機器の近くまで行かなくても手元で電気機器を操作することができるうえ、電気機器に搭載された様々な機能を手軽に利用することができるという利点が生じ、メーカ側にとっては、電気機器の本体には大型の操作子を設ける必要がなくなり、電気機器のデザイン性を向上させることができるという利点が生じる。
【０００３】
ところで、通常は、電気部品が不透明な本体筐体内に収容されており、見栄えが悪い電気部品が外から見えないように工夫されていることが一般的であるが、受光素子までもが不透明な本体筐体で覆われてしまうと、光が本体筐体内に透過されず、受光素子で光を受けることができなくなってしまう。このため、通常は、本体筐体の一部に透明な有色の窓が設けられ、その窓の内側に受光素子が配備されることによって、受光性能の向上と、受光素子や電気部品の隠蔽との両立が図られている。ここで、近年では、電気機器の分野においても、電気機器の性能だけではなく、電気機器のデザインがかなり重要視されてきており、なるべく濃い色の窓を利用し、その窓によって内側に配備された電気部品や受光素子を確実に隠蔽することが好ましい。しかし、窓の色が濃くなると、その分だけ、窓を透過して受光装置で受光される光の量が減少し、リモートコントローラが効きにくくなってしまうという問題がある。赤外線は直進性が強いので、受光素子の正面から外れると特にリモートコントローラの感度が低下してしまう。
【０００４】
この点に関し、特許文献１には、受光素子のそばに反射板を設け、反射板で反射された反射光を受光素子で受光する技術について記載されており、特許文献２には、赤外線よりも指向性が低い電波を利用して、リモートコントローラの操作範囲を広げる技術について記載されている。これら特許文献１および特許文献２に記載された技術によると、受光素子の正面から外れた位置でリモートコントローラを使用しても、リモートコントローラから発せられた光を受光素子で確実に受光することができ、リモートコントローラの感度を向上させることができる。
【特許文献１】特開平６−１４０９９１号公報
【特許文献２】特開平１０−３２８８４号公報
【発明の開示】
【発明が解決しようとする課題】
【０００５】
しかし、特許文献１および特許文献２に記載された技術では、広い範囲のどこから発せられた信号でも受け取ることができるが、受光素子における受光量自体は改善されないため、内部を十分に隠蔽する十分に濃い色の窓が配備された場合には、結局は、リモートコントローラから発せられた光が窓で大幅に減衰してしまい、受光素子で受光できなくなってしまうという問題がある。
【０００６】
本発明は、上記事情に鑑み、高いデザイン性と、受光性能の向上との両立が図られた受光装置、および処理装置を提供することを目的とする。
【課題を解決するための手段】
【０００７】
上記目的を達成する本発明の受光装置は、受光部で光を受ける受光素子と、
受光素子の受光部の前方を覆って受光素子を隠蔽した、受光素子の受光部に対向した対向部分の光学的構造が、対向部分を除く他の部分の光学的構造よりも、光が受光部に入射しやすい構造になっている隠蔽壁とを有することを特徴とする。
【０００８】
本発明の受光装置によると、受光素子が隠蔽壁によって隠蔽されているとともに、隠蔽壁の、受光素子と対向する対向部分の光学的構造が光が入射しやすい構造になっている。このため、隠蔽壁の外側からは受光素子などが見えにくく、デザイン性の低下が抑えられるとともに、対向部分における光の減衰量が抑えられ、受光部の受光性能が向上する。
【０００９】
また、本発明の受光装置において、上記隠蔽壁は、光を反射する反射膜が設けられた、対向部分における反射膜の厚さが、対向部分を除く他の部分における反射膜の厚さよりも薄いものであることが好ましい。
【００１０】
隠蔽壁に反射膜が設けられることによって、内部の隠蔽性は特に高くなり、対向部分における反射膜の厚さが薄いことによって、対向部分から多くの光が入射され、受光部での受光量が増加する。
【００１１】
また、本発明の受光装置において、上記隠蔽壁は、有色の材料で構成された、対向部分の厚さが、対向部分を除く他の部分の厚さよりも薄いものであることも好ましい。
【００１２】
有色の材料で構成された隠蔽壁を適用することによっても、受光部を確実に隠蔽することができ、隠蔽壁の対向部分の厚さを薄くすることによっても、受光部での受光性能を向上させることができる。
【００１３】
また、本発明の受光装置において、上記隠蔽壁は、対向部分の周辺から前記受光素子に向けて張り出したへりを有するものであることが好適である。
【００１４】
本発明の好適な形態の受光装置によると、上記へりの存在によって内部の隠蔽性が向上し、このへりは光の受光範囲を妨げないので、効率よく光を受光することができる。
【００１５】
また、本発明の受光装置において、上記隠蔽壁は、有色の材料で構成された、対向部分の色が、対向部分を除く他の部分の色よりも薄いものであることも好ましい。
【００１６】
隠蔽壁の、対向部分の色を薄くすることによって、対向部分の光の減衰量が抑えられ、受光部での受光量が増加する。
【００１７】
また、本発明の受光装置において、上記隠蔽壁は、対向部分が凹レンズの形状を有したものであることが好ましい。
【００１８】
対向部分が凹レンズの形状を有していることによって、光の受光範囲が広がり、受光装置の受光性能が向上する。
【００１９】
また、本発明の受光装置において、上記隠蔽壁は、対向部分が凹レンズタイプのフレンネルレンズの形状を有したものであることが好ましい。
【００２０】
対向部分が凹レンズタイプのフレンネルレンズの形状を有していることによって、隠蔽壁の厚みを軽減して、受光装置の受光性能を向上させることができる。
【００２１】
また、本発明の受光装置において、有色の材料で構成された、受光部の周りを取り囲む囲み部材を備えたことが好ましい。
【００２２】
囲み部材が設けられることによって、受光装置内の、受光素子よりも内側の部分を確実に隠蔽することができる。
【００２３】
また、上記目的を達成する本発明の第１の処理装置は、所定の処理を行う処理部と、
受光部で光を受けて処理部に受光信号を伝達する受光素子と、
受光素子の受光部の前方を覆って受光素子を隠蔽した、受光素子の受光部に対向した対向部分の光学的構造が、対向部分を除く他の部分の光学的構造よりも、光が受光部に入射しやすい構造になっている隠蔽壁とを備えたことを特徴とする。
【００２４】
本発明の第１の処理装置によると、受光部や処理部などが確実に隠蔽されるとともに、光が効率よく受光される。
【００２５】
尚、本発明の第１の処理装置については、ここではその基本形態のみを示すのにとどめるが、本発明の第１の処理装置には、上記の基本形態のみではなく、前述した受光装置の各形態に対応する各種の形態が含まれる。
【００２６】
また、上記目的を達成する本発明の第２の処理装置は、所定の処理を行う処理部と、
処理部による処理に関する情報を、暗色背景中での発光によって表示する表示器と、
表示器の暗色背景中に設けられた、光を受けて処理部に受光信号を伝達する受光器とを備えたことを特徴とする。
【００２７】
本発明の第２の処理装置によると、受光器を目立たせずに配置することができる。
【００２８】
また、本発明の第２の処理装置において、上記表示部は、暗色背景中に複数の発光素子が並べられてなるものであり、
上記受光器は、複数の発光素子の間の隙間に嵌め込まれた受光素子であることが好ましい。
【００２９】
受光器が複数の発光素子の間の隙間に嵌め込まれることによって、新たに受光器を配備する場所を用意する必要がなく、発光素子の間の隙間を有効に利用することができる。
【００３０】
また、本発明の第２の処理装置において、上記受光器が、暗色背景中に設けられた有色の隠蔽窓と、
隠蔽窓の背部に隠蔽されて設けられた受光素子とを備えたものであることも好ましい。
【００３１】
暗色背景中に受光部を隠蔽する隠蔽窓が設けられることによって、受光器を目立たせずに処理装置に搭載することができる。
【００３２】
尚、本発明の第２の処理装置については、ここに示したいくつかの形態のみではなく、前述した受光装置の各形態に対応する各種の形態も含まれる。
【発明の効果】
【００３３】
本発明によれば、高いデザイン性と、受光性能の向上との両立が図られた受光装置、および処理装置を提供することができる。
【発明を実施するための最良の形態】
【００３４】
以下、図面を参照して本発明の実施の形態を説明する。
【００３５】
図１は、本発明の一実施形態が適用された音響システムの外観斜視図である。
【００３６】
図１には、記録媒体に記録された楽曲を再生したり、記録媒体に楽曲を記録する音響装置１と、赤外光を発光することによって、音響装置１を操作するリモートコントローラ２が示されている。
【００３７】
音響装置１は、不透明なプラスチック製の本体筐体１００内に電気部品が収容されて構成されている。また、本体筐体１００の前面には、記録媒体を装填する媒体装填口１２０と、透明な窓１１０とが設けられており、窓１１０の内側には、現在時刻や音響装置１で再生されている曲名などといった各種情報が表示される表示器２０２と、リモートコントローラ２から発せられた赤外光を受光する受光器２０１とが配備されている。
【００３８】
表示器２０２は、黒色板２０２ａ上に複数の発光素子が並べられて構成されており、黒色版２２０ａ上で発光素子が発光することによって情報が表示される。この表示器２０２は、本発明にいう表示器の一例に相当する。
【００３９】
受光器２０１は、光を反射する反射窓２１１と、光を受光する受光素子２１０とで構成されている。表示器２０２の黒色板２０２ａには、一部に孔が穿たれており、その孔に反射窓２１１が嵌め込まれ、反射窓２１１の背部に受光素子２１０が配備されている。この反射窓２１１は、本発明にいう隠蔽壁の一例にあたり、受光素子２１０は、本発明にいう受光素子の一例に相当する。
【００４０】
図２は、音響装置１を上から見た透視図である。
【００４１】
音響装置１は、本体筐体１００内に、図１に示すリモートコントローラ２から発せられた光を受けて、その光を表わす受光信号を音響処理部２０３に伝達する受光器２０１と、各種情報を表示する表示器２０２と、受光器２０１から伝達された受光信号に従って処理を実行する音響処理部２０３が収容されている。音響処理部２０３は、本発明にいう処理部の一例に相当する。
【００４２】
表示器２０２は、複数の発光素子が黒色板２０２ａ上に配置されることによって、発光した部分と背景とのコントラストが増加し、情報が見やすくなっている。また、受光素子２１０は反射窓２１１によって隠蔽されており、さらに、反射窓２１１は、黒色板２０２ａに嵌め込まれていることによって、音響装置１の外から見たときに目立ちにくくなっている。
【００４３】
ここで、反射窓２１１における光の反射率が低いと、その反射窓２１１の背部に設けられた受光素子２１０や音響処理部２０３などが外から透けて見えてしまい、見た目の印象が悪化してしまうが、反射窓２１１における反射率を単純に高くしてしまうと、入射してきた光が全て反射されてしまい、受光素子２１０で光を受光できなくなってしまう恐れがある。本実施形態の受光器２０１では、受光素子２１０や音響処理部２０３などの確実な隠蔽と、受光性能の向上との両立が図られている。
【００４４】
図３は、受光器２０１の構成図である。
【００４５】
受光器２０１は、受光素子２１０の前方（図の右側）を反射窓２１１が覆った構造を有している。反射窓２１１は、透明な基板１３１と、基板上に蒸着された反射膜１３２とで構成されており、反射膜１３２の、受光素子２１０と対向する対向部分１３２ａの厚さが、その対向部分１３２ａを除く部分の厚さよりも薄く形成されている。反射膜１３２の、対向部分１３２ａを除く部分における反射率は十分に高く、反射窓２１１の外側からは受光素子２１０などが見えにくくなっている。また、反射膜１３２の対向部分１３２ａは薄く形成されているため、この対向部分１３２ａに入射してきた光は受光素子２１０にまで達して、受光素子２１０で受光される。このように、受光器２０１に対向する対向部分１３２ａの厚さのみが薄く形成された反射膜１３２を用いることによって、受光器２０１を確実に隠蔽することができるとともに、受光素子２１０で確実に光を受光することができる。
【００４６】
以上で、本発明の第１実施形態の説明を終了し、続いて、受光器における他の各種実施形態について説明する。尚、説明を簡略化するため、第１実施形態と同じ要素には同じ符号を付して説明を省略し、第１実施形態との相違点についてのみ説明する。
【００４７】
図４は、本発明の第２実施形態の受光器の構成図である。
【００４８】
図４に示す受光器２０１Ｂは、図３に示す第１実施形態の受光器２０１とほぼ同様の構成を有しているが、反射膜１３２が、透明な基板１３１の前面（図４の右側）ではなく、基板１３１の背面（図４の左側）に蒸着されている点が第１実施形態とは異なる。このように、反射膜１３２が受光素子２１０に対向する側に設けられている場合にも、受光器２０１の隠蔽と、受光性能の向上とを両立させることができる。
【００４９】
以上で、本発明の第２実施形態の説明を終了し、本発明の第３実施形態について説明する。
【００５０】
図５は、本発明の第３実施形態の受光器の構成図である。
【００５１】
図５のパート（Ａ）に示す受光器２０１Ｃには、図３に示す反射窓２１１に替えて、光透過性を有する黒い有色窓１３３が備えられており、受光素子２１０の周りを取り囲む囲み部材２１０１が設けられている。囲み部材２１０１は、本発明にいう囲み部材の一例に相当する。
【００５２】
有色窓１３３は、受光素子２１０に対向する対向部分１３３ａの厚さが薄く形成されており、この対向部分１３３ａにおける光の透過率が、対向部分１３３ａを除く部分における光の透過率よりも高くなっている。このため、対向部分１３３ａに入射してきた光は、確実に受光素子２１０にまで達して、受光素子２１０で受光される。
【００５３】
また、囲み部材２１０１は、赤外光を透過する材料で構成されており、前面に黒く塗装された黒色部分２１０１ａが設けられている。
【００５４】
図５のパート（Ｂ）には、囲み部材２１０１が設けられた受光素子２１０を前方から見た図が示されている。受光素子２１０は、周りが黒く塗装された黒色部分２１０１ａによって取り囲まれている。有色窓１３３だけでは音響装置１の内部が透けてしまう恐れがあるが、黒く塗装された黒色部分２１０１ａによって、受光性能を劣化させずに、確実に音響装置１の内部を隠蔽することができる。
【００５５】
以上で、本発明の第３実施形態の説明を終了し、本発明の第４実施形態について説明する。
【００５６】
図６は、本発明の第４実施形態の受光器の構成図である。
【００５７】
本実施形態の受光器２０１Ｄは、図５に示す第３実施形態の受光器２０１Ｃとほぼ同様な構成を有しているが、有色窓１３４の形状が第３実施形態とは異なる。図６に示す有色窓１３４は、受光素子２１０に向けて張り出したへり１３４ａが設けられている。このへり１３４ａは、本発明にいうへりの一例に相当する。
【００５８】
本実施形態の受光器２０１Ｄが適用されると、へり１３４ａに沿って斜めに入射してきた光も受光素子２１０で受光される。このため、受光素子２１０で受光することができる光の通過範囲が広がり、効率よく光を受光することができる。また、へり１３４ａによって、内部の隠蔽性が向上する。
【００５９】
以上で、本発明の第４実施形態の説明を終了し、本発明の第５実施形態について説明する。
【００６０】
図７は、本発明の第５実施形態の受光器の構成図である。
【００６１】
本実施形態の受光器２０１Ｅは、図５に示す第３実施形態の受光器２０１Ｃとほぼ同様な構成を有しているが、有色窓１３５の形状および色が第３実施形態とは異なる。本実施形態の受光器２０１Ｅにおいては、有色窓１３５の厚さは一定であるが、有色窓１３５の色が受光素子２１０と対向する対向部分１３５ａに近づくほど薄くなっている。このように、有色窓１３５の対向部分１３５ａの色を薄くすることによっても、受光性能を向上させることができる。
【００６２】
以上で、本発明の第５実施形態の説明を終了し、本発明の第６実施形態について説明する。
【００６３】
図８は、本発明の第６実施形態の受光器の構成図である。
【００６４】
本実施形態の受光器２０１Ｆも、図５に示す第３実施形態の受光器２０１Ｃとほぼ同様な構成を有しているが、有色窓１３６の形状が第３実施形態とは異なる。本実施形態の受光器２０１Ｆでは、有色窓１３６が凹レンズの形状を有している。この受光器２０１Ｆによると、より広い範囲から発せられた光が効率よく受光素子２１０で受光される。尚、図８のパート（Ａ）に示すように、凹形状に窪んだ面１３６ａが受光素子２１０側を向いていても、図８のパート（Ｂ）に示すように、面１３６ａが受光素子２１０とは反対側を向いていても、どちらも同様の効果が得られる。
【００６５】
以上で、本発明の第６実施形態の説明を終了し、本発明の第７実施形態について説明する。
【００６６】
図９は、本発明の第７実施形態の受光器の構成図である。
【００６７】
本実施形態の受光器２０１Ｇは、図８に示す第６実施形態の受光器２０１Ｆとほぼ同様な構成を有しているが、図９に示す本実施形態の受光器２０１Ｇにおいては、有色窓１３７が凹レンズタイプのフレンネルレンズ形状を有している点が第６実施形態とは異なる。有色窓１３７が凹レンズタイプのフレンネルレンズ形状を有していることによって、図８に示す凹レンズ形状を有する有色窓１３６と同様の役割を担うことができるうえ、有色窓１３７自体を薄くすることができる。尚、この有色窓１３７についても、図９のパート（Ａ）に示すように、凹レンズタイプのフレンネルレンズ形状が形成された面１３７ａが受光素子２１０側を向いていても、図９のパート（Ｂ）に示すように、面１３７ａが受光素子２１０とは反対側を向いていても、どちらも同様な効果が得られる。
【００６８】
以上で、受光器における各種実施形態の説明を終了し、本発明の処理装置における実施形態について説明する。尚、本発明の処理装置の第２実施形態である音響装置は、図１および図２に示す本発明の処理装置の第１実施形態である音響装置１とほぼ同様の構成を有しているため、同じ要素には同じ符号を付して説明を省略し、それらの相違点についてのみ説明する。
【００６９】
本実施形態の音響装置は、図１に示す第１実施形態の音響装置１とほぼ同様の構成を有しているが、受光器が設けられている位置が相互に異なる。
【００７０】
図１０は、本実施形態の音響装置に設けられた窓１１０と、窓１１０の内側に設けられた表示器２０２および受光器２０１´を示す図である。
【００７１】
表示器２０２は、黒色板２０２ａ上に複数の発光素子２０２ｂが配置されて構成されており、それら発光素子２０２ｂの間の隙間に受光器２０１´が埋め込まれている。
【００７２】
図１１は、表示器２０２および受光器２０１´の側面図である。
【００７３】
図１１に示すように、受光器２０１´は、受光素子２１０´がむき出しのまま黒色板２０２ａに嵌め込まれている。このように、受光器２０１´を表示器２０２に埋め込むことによって、発光素子２０２ｂの隙間を有効に利用することができる。また、黒色板２０２ａによって処理装置の内部が確実に隠蔽されるため、受光器２０１´の前方を有色窓などで隠蔽する必要がなく、受光器２０１´の受光性能を向上させることができる。
【００７４】
ここで、上記では、音響装置に本発明の受光装置を搭載する例について説明したが、本発明の受光装置は、受光装置で受光した光に応じた処理を実行するものであれば、音響装置以外の処理装置に搭載されてもよい。
【００７５】
また、上記では、赤外光を受光する受光装置について説明したが、本発明の受光装置は、赤外光以外の光を受光するものであってもよい。
【００７６】
また、上記では、受光器が表示器の黒色板に嵌め込まれる例について説明したが、本発明の受光装置は、表示器とは別の位置に設けられるものであってもよい。
【００７７】
また、上記では、黒色板上に発光素子が配置される例について説明したが、本発明にいう暗色背景は、正面からの見た目上の背景であればよく、例えば、発光素子の前面を有色のカバー等で覆ってできる背景であってもよい。
【図面の簡単な説明】
【００７８】
【図１】本発明の一実施形態が適用された音響システムの外観斜視図である。
【図２】音響装置１を上から見た透視図である。
【図３】受光器２０１の構成図である。
【図４】本発明の第２実施形態の受光器の構成図である。
【図５】本発明の第３実施形態の受光器の構成図である。
【図６】本発明の第４実施形態の受光器の構成図である。
【図７】本発明の第５実施形態の受光器の構成図である。
【図８】本発明の第６実施形態の受光器の構成図である。
【図９】本発明の第７実施形態の受光器の構成図である。
【図１０】窓１１０と、窓１１０の内側に設けられた表示器２０２および受光器２０１´を示す図である。
【図１１】表示器２０２および受光器２０１´の側面図である。
【符号の説明】
【００７９】
１    音響装置
２    リモートコントローラ
１００    本体筐体
１１０    窓
１２０    媒体装填口
１３１    基板
１３２    反射膜
１３２ａ    対向部分
１３３，１３４，１３５，１３６，１３７    有色窓
２０１，２０１Ｂ，２０１Ｃ，２０１Ｄ，２０１Ｅ，２０１Ｆ，２０１Ｇ    受光器
２０２    表示器
２０２ａ    黒色板
２０３    音響処理部
２１０    受光素子
２１１    反射窓
【図１】
2007095925.tif 000003
【図２】
2007095925.tif 000004
【図３】
2007095925.tif 000005
【図４】
2007095925.tif 000006
【図５】
2007095925.tif 000007
【図６】
2007095925.tif 000008
【図７】
2007095925.tif 000009
【図８】
2007095925.tif 000010
【図９】
2007095925.tif 000011
【図１０】
2007095925.tif 000012
【図１１】
2007095925.tif 000013